(57)【要約】【課題】端子箱本体と蓋との間でパッキンを異なる２方向に圧接し、端子箱本体と蓋との間の良好なシールを得るもの。【解決手段】蓋１５に装着したパッキン３４は略水平方向へ延在する第１片３４Ａと略垂直方向へ延在する第２片３４Ｂとを有する。端子箱本体１４に形成の当接面３５は蓋１５の取付けで第１片３４Ａと圧接して略垂直方向へ撓ませる第１当接部３５Ａと、第２片３４Ｂと圧接して略水平方向へ撓ませる第２当接部３５Ｂとを有する。これにより、第１当接部３５Ａへの第１片３４Ａの圧接で圧接力の反力が蓋１５を略垂直方向へ持ち上げるよう作用して第１当接部３５Ａと第１片３４Ａとの間のシール性が低下したとしても、第２当接部３５Ｂへの第２片３４Ｂの圧接力が弱まることなく良好なシール性を維持できる。【選択図】　　図５
2004019887.tif 000002
【特許請求の範囲】
【請求項１】
電磁弁の弁本体上部に備えている電磁弁における端子箱のシール構造であって、端子箱は上部を開口して電磁石と外部電源からの電気配線とを内部で電気接続する端子箱本体と、端子箱本体の上部開口を閉塞するよう複数の取付ねじを略垂直方向の下方へ向けて締め付けて端子箱本体の上部に取付ける蓋とから構成し、端子箱本体と蓋とのいずれか一方には弾力性材料から成形した環状のパッキンを装着すると共に、他方には端子箱本体への蓋の取付けでパッキンと圧接して撓ませる当接面を形成し、パッキンは略水平方向へ延在する第１片と略垂直方向へ延在する第２片とを有し、当接面は端子箱本体への蓋の取付けでパッキンの第１片と圧接して略垂直方向へ撓ませる第１当接部と、パッキンの第２片と圧接して略水平方向へ撓ませる第２当接部とを有することを特徴とする電磁弁における端子箱のシール構造。
【請求項２】
当接面の第１当接部に略垂直方向へ突出する凸部を形成したことを特徴とする請求項１に記載の電磁弁における端子箱のシール構造。
【請求項３】
パッキンの第１片に略垂直方向へ膨出する第１膨出部を形成すると共に、第２片に略水平方向へ膨出する第２膨出部を形成したことを特徴とする請求項１に記載の電磁弁における端子箱のシール構造。
【請求項４】
パッキンは蓋に装着し略垂直方向へ延在する第２片の上端部に連設して第１片を略水平方向へ端子箱外方に向けて延在し、第２片の上端部と対向する下端部に第３片を連設し、第３片は略水平方向へ第１片の延在方向と対向する端子箱内方に向けて延在したことを特徴とする請求項１ないし３に記載の電磁弁における端子箱のシール構造。
【請求項５】
蓋には外周縁から略水平方向へ突出して工具係合部を形成し、工具係合部と端子箱本体の上部との間に工具を挿入する挿入間隙を形成し、工具係合部は挿入隙間へ挿入した工具と係合可能に設けたことを特徴とする請求項１ないし４に記載の電磁弁における端子箱のシール構造。
【発明の詳細な説明】
【０００１】
【発明の属する技術分野】
本発明は、電磁弁の電磁石と外部電源からの電気配線とを内部で電気接続する端子箱本体の開口を蓋で閉塞し、端子箱本体と蓋との間をシールするパッキンを備える電磁弁における端子箱のシール構造に関する。
【０００２】
【従来の技術】
従来の電磁弁における端子箱のシール構造は、端子箱を端子箱本体と蓋とから構成し、端子箱本体は弁本体の上部に備えて電磁石の接続ピンと外部電源からの電気配線とを内部で電気接続し、蓋は端子箱本体の上部開口を閉塞するよう周方向の４個所に配置した４個の取付ねじを締め付けて端子箱本体の上部に取付けている。そして、蓋には凹溝を周設し、この凹溝に断面が角形の環状のパッキンを装着し、端子箱本体にはパッキンの稜部を当接して撓ませる傾斜状の当接面を形成し、端子箱本体に蓋を取付けた状態では、パッキンが当接面に圧接されて端子箱本体と蓋との間をシールしている。（例えば、実公昭６４−５９０２号公報参照）。
【０００３】
【発明が解決しようとする課題】
ところが、かかる従来の電磁弁における端子箱のシール構造では、当接面にパッキンを圧接すると、この圧接力の反力が取付ねじの締め付けに抗して蓋を略垂直方向の上方へ持ち上げるよう作用するため、特に、取付ねじの配置個所から周方向に離間した個所では当接面へのパッキンの圧接力が弱まってシール性が低下し、端子箱本体と蓋との間の良好なシールが得られ難かった。
【０００４】
本発明は、端子箱本体と蓋との間でパッキンを異なる２方向に圧接し、端子箱本体と蓋との間の良好なシールを得る電磁弁における端子箱のシール構造を提供することを課題としている。
【０００５】
【課題を解決するための手段】
このため、本発明では、電磁弁の弁本体上部に備えている電磁弁における端子箱のシール構造であって、端子箱は上部を開口して電磁石と外部電源からの電気配線とを内部で電気接続する端子箱本体と、端子箱本体の上部開口を閉塞するよう複数の取付ねじを略垂直方向の下方へ向けて締め付けて端子箱本体の上部に取付ける蓋とから構成し、端子箱本体と蓋とのいずれか一方には弾力性材料から成形した環状のパッキンを装着すると共に、他方には端子箱本体への蓋の取付けでパッキンと圧接して撓ませる当接面を形成し、パッキンは略水平方向へ延在する第１片と略垂直方向へ延在する第２片とを有し、当接面は端子箱本体への蓋の取付けでパッキンの第１片と圧接して略垂直方向へ撓ませる第１当接部と、パッキンの第２片と圧接して略水平方向へ撓ませる第２当接部とを有して成る。この場合、当接面の第１当接部に略垂直方向へ突出する凸部を形成しても良い。また、パッキンの第１片に略垂直方向へ膨出する第１膨出部を形成すると共に、第２片に略水平方向へ膨出する第２膨出部を形成しても良い。さらにまた、パッキンは蓋に装着し略垂直方向へ延在する第２片の上端部に連設して第１片を略水平方向へ端子箱外方に向けて延在し、第２片の上端部と対向する下端部に第３片を連設し、第３片は略水平方向へ第１片の延在方向と対向する端子箱内方に向けて延在しても良い。さらにまた、蓋には外周縁から略水平方向へ突出して工具係合部を形成し、工具係合部と端子箱本体の上部との間に工具を挿入する挿入間隙を形成し、工具係合部は挿入隙間へ挿入した工具と係合可能に設けても良い。
【０００６】
かかる本発明によると、複数の取付ねじを略垂直方向の下方へ向けて締め付け蓋を端子箱本体の上部に取付けて端子箱本体の上部開口を閉塞し、端子箱本体への蓋の取付けで、パッキンの第１片を当接面の第１当接部に圧接して略垂直方向へ撓ませて端子箱本体と蓋との間をシールすると共に、パッキンの第２片を当接面の第２当接部に圧接して略水平方向へ撓ませて端子箱本体と蓋との間をシールする。このため、取付ねじの配置個所から周方向に離間した個所で、第１当接部への第１片の圧接において圧接力の反力が蓋を略垂直方向の上方へ持ち上げるよう作用し、第１当接部への第１片の圧接力が弱まってシール性が低下したとしても、第２片は略水平方向へ撓んで第２当接部に圧接しているから、この圧接力が蓋を略垂直方向の上方へ持ち上げる影響を受けて弱まることなくできて良好なシール性を維持でき、端子箱本体と蓋との間でパッキンを異なる２方向に圧接できて端子箱本体と蓋との間の良好なシールを得ることができる。
【０００７】
【発明の実施の形態】
以下、本発明の第１実施形態を図面に基づき説明する。
図１ないし図３において、１は電磁弁の弁本体で、略直方体形状を成し、　スプール状の弁体２を軸方向へ摺動自在に嵌挿する嵌挿孔３を内部に貫通形成し、弁本体１の両側面に開口する嵌挿孔３の両端部にはそれぞれめねじ部を螺刻している。嵌挿孔３の軸方向の略中央部には圧力流体を供給する供給流路Ｐを開口し、また、供給流路Ｐの接続個所の軸方向両側へ間隙を有して流体アクチュエータ（図示せず）に連通する２個の負荷流路Ａ、Ｂをそれぞれ開口し、さらに両負荷流路Ａ、Ｂの軸方向外側へ間隙を有して低圧側に連通する排出流路Ｒ１、Ｒ２をそれぞれ開口している。弁体２は図１の上半分に示す原位置では供給流路Ｐを負荷流路Ａに切換連通すると共に負荷流路Ｂを排出流路Ｒ２に切換連通し、図１の下半分に示す切換位置では供給流路Ｐを負荷流路Ｂに切換連通すると共に負荷流路Ａを排出流路Ｒ１に切換連通するようランド部２Ａ、２Ｂを備えている。
【０００８】
４は嵌挿孔３の一方のめねじ部に螺合した栓部材で、嵌挿孔３の弁本体１一側面への開口を閉塞している。５は栓部材４の内部に収装したばねで、弁体２を原位置に向けて付勢している。６は電磁石で、固定鉄心７を嵌挿孔３の他方のめねじ部に螺合して弁本体１の他側面に装着し、コイル８への通電により発生する吸引力で可動鉄心９を固定鉄心７に吸着し、この吸着によりピン１０を介して弁体２をばね５力に抗して原位置から切換位置に切換作動する。そして、電磁石６にはコイル８へ電気接続した２個の接続ピン１１を備え、接続ピン１１は略水平方向へ突出して設けている。
【０００９】
１３は電磁弁の弁本体１上部に備えた端子箱で、端子箱本体１４と蓋１５とから構成している。端子箱本体１４は上部を開口した略箱形状で、平面で対角線上に配置した２個の取付ねじ１６により弁本体１に取付け、対向する両側壁には外部電源からの電気配線１６Ａ、１６Ｂを導入する導入孔１７Ａ、１７Ｂをそれぞれ開口形成し、一方の導入孔１７Ａは着脱自在に螺合した栓部材１８で閉塞し、他方の導入孔１７Ｂへ着脱自在に螺合したシールコネクタ部材１９により電気配線１６Ａ、１６Ｂをシールして内部に導入している。なお、他方の導入孔１７Ｂを栓部材１８で閉塞し、一方の導入孔１７Ａにシールコネクタ部材１９を螺着して電気配線１６Ａ、１６Ｂを導入することも可能である。
【００１０】
端子箱本体１４の内部には、端子台２０及びプリント基板２１を収装して配置し、端子台２０には電気配線１６Ａ、１６Ｂを端子ねじ２２Ａ、２２Ｂにより止着する端子金具２３Ａ、２３Ｂ及び通電により点灯するネオンランプ、発光ダイオード等の表示灯２４を備え、端子金具２３Ａ、２３Ｂ、表示灯２４はそれぞれプリント基板２１に電気接続している。プリント基板２１には抵抗、コンデンサ、サージキラー等の種々の回路素子２５及び電磁石６の接続ピン１１と電気接続する２個の接続金具２６を備え、接続ピン１１と接続金具２６との電気接続は、電磁石６の弁本体１他側面への装着で接続ピン１１が端子箱本体１４の側壁下方に穿設した挿通孔２７を挿通して先端部が接続金具２６に嵌合することで成し得る。そして、プリント基板２１は端子金具２３Ａ、２３Ｂ、表示灯２４、回路素子２５、接続金具２６との間をプリント配線により電気接続して電気配線１６Ａ、１６Ｂから電磁石６への通電を可能にし、この通電で表示灯２４を点灯するようにしている。なお、２８は端子台２０を端子箱本体１４に固定するねじである。
【００１１】
蓋１５は透明色の樹脂材より成形し、４隅に配置した４個の取付ねじ２９を端子箱本体１４のねじ孔１４Ｂに螺合して略垂直方向の下方へ向けて締め付けることで端子箱本体１４に取付けて端子箱本体１４の上部開口１４Ａを閉塞し、表面には表示灯２４の点灯を外部から視認可能に表示部１５Ａを形成している。図４に示す如き、蓋１５の裏面には上部開口１４Ａの平面形状に沿った環状の凹溝３０を窪み形成すると共に、凹溝３０の略水平方向の内方へ連設して環状の支持部３１を略垂直方向の下方へ突出形成している。そして、支持部３１は、図５及び図６に示す如き、凹溝３０に連なる外面３１Ａを下方に向けて順次内方に位置する若干の傾斜面に形成している。３２Ａ、３２Ｂは蓋１５の外周縁における対向する２箇所に略水平方向へ突出して形成した工具係合部で、図６に示す如き、蓋１５を端子箱本体１４に取付けた状態で端子箱本体１４の上部との間にドライバー等の工具（図示せず）を挿入する挿入間隙３３を形成し、挿入間隙３３へ挿入した工具と係合可能に設けて蓋１５の端子箱本体１４からの取外しを容易にする。
【００１２】
３４はＮＢＲ等の弾性材料から成形した環状のパッキンで、蓋１５の凹溝３０に装着している。図５及び図６に示す如き、パッキン３４は凹溝３０に沿って水平方向へ延在する第１片３４Ａと、第１片３４Ａの水平方向の内方端へ連設して支持部３１の外面３１Ａに沿って若干傾斜して略垂直方向へ延在する第２片３４Ｂとを有している。端子箱本体１４には蓋１５の取付けでパッキン３４を圧接して撓ませる当接面３５を形成し、当接面３５はパッキン３４の第１片３４Ａと圧接して略垂直方向へ撓ませる第１当接部３５Ａと、パッキン３４の第２片３４Ｂと圧接して略水平方向へ撓ませる第２当接部３５Ｂとを有し、第１当接部３５Ａは上部開口１４Ａの外周縁に水平方向の外方へ連なる水平面であり、第２当接部３５Ｂは上部開口１４Ａの外周縁に垂直方向の下方へ連なる垂直面である。なお、第２当接部３５Ｂはパッキン３４の第２片３４Ｂが若干傾斜しているため、第２片３４Ｂの第１片３４Ａとの連設側を圧接し、第２片３４Ｂの略垂直方向の先端側との間には略水平方向へ微小な隙間が存在する。３６は断面形状が半円形で略垂直方向の上方へ向けて突出する凸部で、当接面３５の第１当接部３５Ａにおける上部開口１４Ａの外周縁近傍に沿って環状に形成している。
【００１３】
次に、かかる構成の作動を説明する。
図１における弁体２の上半分は電磁石６への非通電状態を示し、弁体２はばね５力で原位置に保持され、供給流路Ｐを負荷流路Ａに切換連通すると共に負荷流路Ｂを排出流路Ｒ２に切換連通している。
【００１４】
この状態で、外部電源の電気配線１６Ａ、１６Ｂより電磁石６のコイル８に通電すると、通電により発生する吸引力で可動鉄心９が固定鉄心７に吸着され、ピン１０を介して弁体２をばね５力に抗して図１の下半分に示す切換位置に作動し、供給流路Ｐを負荷流路Ｂに切換連通すると共に負荷流路Ａを排出流路Ｒ１に切換連通する。このとき、コイル８への通電により表示灯２４が点灯し、この点灯を外部から表示部１５Ａで視認できる。
【００１５】
そして、電磁石６を非通電にすると、弁体２はばね５力で図１の上半分に示す原位置に復帰作動され、表示灯２４は消灯する。
【００１６】
かかる作動で、電気配線１６Ａ、１６Ｂは、蓋１５を端子箱本体１４から取外した状態で、作業者が端子箱本体１４の上部開口１４Ａからドライバー等の工具を用いて端子ねじ２２Ａ、２２Ｂを端子金具２３Ａ、２３Ｂに締め付けて電気配線１６Ａ、１６Ｂを端子金具２３Ａ、２３Ｂに止着し、この後、４個の取付ねじ２９をねじ孔１４Ｂに螺合して略垂直方向の下方へ向けて締め付け蓋１５を端子箱本体１４に取付けて端子箱本体１４の上部開口１４Ａを閉塞する。そして、端子箱本体１４への蓋１５の取付けで、パッキン３４の第１片３４Ａを当接面３５の第１当接部３５Ａに圧接して略垂直方向へ撓ませて端子箱本体１４と蓋１５との間をシールすると共に、パッキン３４の第２片３４Ｂを当接面３５の第２当接部３５Ｂに圧接して略水平方向へ撓ませて端子箱本体１４と蓋と１５の間をシールする。このため、取付ねじ２９配置個所から周方向に離間した個所で、第１当接部３５Ａへの第１片３４Ａの圧接において圧接力の反力が蓋１５を略垂直方向の上方へ持ち上げるよう作用し、第１当接部３５Ａへの第１片３４Ａの圧接力が弱まってシール性が低下したとしても、第２片３４Ｂは略水平方向へ撓んで第２当接部３５Ｂに圧接しているから、この圧接力が蓋１５を略垂直方向の上方へ持ち上げる影響を受けて弱まることなくできて良好なシール性を維持でき、端子箱本体１４と蓋１５との間でパッキン３４を異なる２方向に圧接できて端子箱本体１４と蓋１５との間の良好なシールを得ることができる。
【００１７】
また、パッキン３４の第２片３４Ｂを当接面３５の第２当接部３５Ｂに圧接して略水平方向へ撓ませるため、蓋１５には第２当接部３５Ｂへの第２片３４Ｂの圧接において圧接力の反力が略水平方向の内方へ作用し、この反力が第１当接部３５Ａへの第１片３４Ａの圧接で蓋１５を略垂直方向の上方へ持ち上げる抵抗となって持ち上げを抑制でき、端子箱本体１４と蓋１５との間の一層良好なシールを得ることができる。また、当接面３５の第１当接部３５Ａに略垂直方向の上部へ向けて突出する凸部３６を形成しているため、第１当接部３５Ａに圧接するパッキン３４の第１片３４Ａを凸部３６へ圧接させて確実に撓ませることができ、確実なシール性を得ることができる。また、パッキン３４の第２片３４Ｂを略垂直方向の下方へ向けて順次内方に位置する若干の傾斜形状に形成しているため、パッキン３４の第２片３４Ｂを円滑に上部開口１４Ａへ入り込ませることができ、蓋１５を端子箱本体１４へ容易に取付けることができる。また、蓋１５には外周縁から略水平方向へ突出して形成した工具係合部３２Ａ、３２Ｂと端子箱本体１４の上部との間に工具を挿入する挿入間隙３３を形成し、工具係合部３２Ａ、３２Ｂは挿入隙間３３へ挿入した工具と係合可能に設けているため、取付ねじ２９をねじ孔１４Ｂから取外して蓋１５を端子箱本体１４から取外す際に、作業者が工具係合部３２Ａ、３２Ｂに係合した工具を略垂直方向の上方へ持ち上げることで、蓋１５を端子箱本体１４から簡単に取外すことができる。
【００１８】
図７及び図８はパッキン３４を端子箱本体１４に設けた第１実施形態の変形例を示し、第１実施形態と同一個所には同符号を付して説明を省略し、異なる個所についてのみ説明する。
端子箱本体１４には上部開口１４Ａの外周縁に沿ってパッキン３４を装着する環状の凹溝５０を窪み形成すると共に、凹溝５０の略水平方向の内方へ連設して端子箱本体１４の側壁内面５０Ａを略垂直方向の下方へ向けて順次内方に位置する若干の傾斜面に形成している。パッキン３４は第１片３４Ａを凹溝５０に沿って水平方向へ延在すると共に、第２片３４Ｂを側壁内面５０Ａに沿って若干傾斜して略垂直方向へ延在している。蓋１５の裏面にパッキン３４の第１片３４Ａと圧接して略垂直方向へ撓ませる第１当接部５５Ａとパッキン３４の第２片３４Ｂと圧接して略水平方向へ撓ませる第２当接部５５Ｂとを有する当接面５５を形成し、第１当接部５５Ａは上部開口１４Ａの平面形状に沿った水平面であり、第２当接部５５Ｂは第１当接部５５Ａの略水平方向の内方へ連設して略垂直方向の下方へ突出形成した環状の支持部３１の外面を垂直面にして形成する。なお、第２当接部５５Ｂはパッキン３４の第２片３４Ｂが若干傾斜しているため、第２片３４Ｂの略垂直方向の先端側を圧接し、第２片３４Ｂの第１片３４Ａとの連設側との間には略水平方向へ微小な隙間が存在する。第１当接部５５Ａには環状の凸部５６を略垂直方向の下方へ向けて突出形成する。
【００１９】
図９及び図１０は端子箱本体１４に設けたパッキン３４の第２片３４Ｃを垂直状に形成すると共に、蓋１５に形成した当接面５５の第２当接部５５Ｃを若干の傾斜面に形成した第１実施形態の他の変形例を示し、第１実施形態と同一個所には同符号を付して説明を省略し、異なる個所についてのみ説明する。
端子箱本体１４の側壁内面５０Ｂを垂直面に形成し、パッキン３４の第２片３４Ｃを側壁内面５０Ｂに沿って垂直状に延在している。蓋１５に形成した当接面５５の第２当接部５５Ｃは支持部３１の外面を略垂直方向の下方へ向けて順次内方に位置する若干の傾斜面として形成する。第２当接部５５Ｃは第２片３４Ｃの第１片３４Ａとの連設側を圧接し、第２片３４Ｃの略垂直方向の先端側との間には略水平方向へ微小な隙間が存在する。
【００２０】
図１１及び図１２は本発明の第２実施形態を示し、第１実施形態と同一個所には同符号を付して説明を省略し、異なる個所についてのみ説明する。
パッキン６４は略垂直方向へ延在する第２片６４Ｂの上端部に連設して第１片６４Ａを略水平方向へ端子箱外方に向けて延在し、第２片６４Ｂの上端部と対向する下端部に連設して第３片６４Ｃを端子箱内方に向けて延在し、第２片６４Ｂは下端部に向けて順次内方に位置する傾斜状に形成している。パッキン６４の第１片６４Ａには略垂直方向へ膨出する第１膨出部６５Ａを形成すると共に、第２片６４Ｂには略水平方向へ膨出する第２膨出部６５Ｂを形成し、各膨出部６５Ａ、６５Ｂは断面形状を円形に設けている。パッキン６４は第１片６４Ａを蓋１５の凹溝３０に水平方向へ延在し、第２片６４Ｂを凹溝３０に連設する支持部３１の外面３１Ａに沿って延在し、第３片６４Ｃを支持部３１の先端面に水平方向へ延在して蓋１５に装着する。支持部３１は外面３１Ａの略垂直方向の下方を窪ませて第２片６４Ｂに形成した第２膨出部６５Ｂを収装する。端子箱本体１４の当接面６６は上部開口１４Ａの外周縁に水平方向の外方へ連なる水平面の第１当接部６６Ａと、上部開口１４Ａの外周縁に垂直方向の下方へ連なる垂直面の第２当接部６６Ｂとを有し、蓋１５の取付けで第１当接部６６Ａは第１片６４Ａに形成の第１膨出部６５Ａと圧接して略垂直方向へ撓ませると共に、第２当接部６６Ｂは第２片６４Ｂに形成の第２膨出部６５Ｂと圧接して略水平方向へ撓ませる。そして、第２当接部６６Ｂは略垂直方向の上部を上方へ向けて順次外方に位置する若干の傾斜面に形成し、パッキン６４の第２片６４Ｂ、第３片６４Ｃを円滑に上部開口１４Ａへ入り込ませることができるようにしている。
【００２１】
かかる構成において、第１当接部６６Ａへの第１膨出部６５Ａの圧接力が弱まってシール性が低下したとしても、第２膨出部６６Ｂは略水平方向へ撓んで第２当接部６６Ｂに圧接しているから、この圧接力が蓋１５を略垂直方向の上方へ持ち上げる影響を受けて弱まることなくできて良好なシール性を維持でき、第１実施形態と同様に、端子箱本体１４と蓋１５との間でパッキン６４を異なる２方向に圧接できて端子箱本体１４と蓋１５との間の良好なシールを得ることができる。また、蓋１５には第２当接部６６Ｂへの第２膨出部６５Ｂの圧接において圧接力の反力が略水平方向の内方へ作用し、この反力が第１当接部３５Ａへの第１膨出部６５Ａの圧接で蓋１５を略垂直方向の上方へ持ち上げる抵抗となって持ち上げを抑制でき、第１実施形態と同様に、端子箱本体１４と蓋１５との間の一層良好なシールを得ることができる。また、パッキン６４には略垂直方向へ膨出する第１膨出部６５Ａと略水平方向へ膨出する第２膨出部６５Ｂとを形成しているため、第１膨出部６５Ａを第１当接部６６Ａに第２膨出部６５Ｂを第２当接部にそれぞれ圧接させて確実に撓ませることができ、確実なシール性を得ることができる。さらにまた、パッキン６４は第２片６４Ｂの下端部に連設して第３片６４Ｃを端子箱内方に向けて延在しているため、蓋１５の端子箱本体１４への取付けで、パッキン６４の下端部が端子箱本体１４の上部開口１４の外周縁に当たってめくれることを抑制できる。
【００２２】
なお、第１実施形態では、凸部３６を形成したが、必要に応じて形成しなくても良い。また、１個の電磁石６を弁本体１の一側面に設けたものに適用したが、２個の電磁石を弁本体の両側面にそれぞれ設けたものにも適用できることは勿論である。
【００２３】
【発明の効果】
このように請求項１に記載の発明では、端子箱本体と蓋とのいずれか一方には弾力性材料から成形した環状のパッキンを装着すると共に、他方には端子箱本体への蓋の取付けでパッキンと圧接して撓ませる当接面を形成し、パッキンは略水平方向へ延在する第１片と略垂直方向へ延在する第２片とを有し、当接面は端子箱本体への蓋の取付けでパッキンの第１片と圧接して略垂直方向へ撓ませる第１当接部と、パッキンの第２片と圧接して略水平方向へ撓ませる第２当接部とを有しているため、第１当接部への第１片の圧接において圧接力の反力が蓋を略垂直方向の上方へ持ち上げるよう作用し、第１当接部への第１片の圧接力が弱まってシール性が低下したとしても、第２片は略水平方向へ撓んで第２当接部に圧接しているから、この圧接力が蓋を略垂直方向の上方へ持ち上げる影響を受けて弱まることなくできて良好なシール性を維持でき、端子箱本体と蓋との間でパッキンを異なる２方向に圧接できて端子箱本体と蓋との間の良好なシールを得ることができる。また、パッキンの第２片を当接面の第２当接部に圧接して略水平方向へ撓ませるため、蓋には第２当接部への第２片の圧接において圧接力の反力が略水平方向の内方へ作用し、この反力が第１当接部への第１片の圧接で蓋を略垂直方向の上方へ持ち上げる抵抗となって持ち上げを抑制でき、端子箱本体と蓋との間の一層良好なシールを得ることができる。
【００２４】
また、請求項２に記載の発明では、請求項１に記載の発明の効果に加え、当接面の第１当接部に略垂直方向へ突出する凸部を形成しているため、第１当接部に圧接するパッキンの第１片を凸部へ圧接させて確実に撓ませることができ、確実なシール性を得ることができる。
【００２５】
また、請求項３に記載の発明では、請求項１に記載の発明の効果に加え、パッキンの第１片に略垂直方向へ膨出する第１膨出部を形成すると共に、第２片に略水平方向へ膨出する第２膨出部を形成しているため、第１膨出部を当接面の第１当接部に第２膨出部を当接面の第２当接部にそれぞれ圧接させて確実に撓ませることができ、確実なシール性を得ることができる。
【００２６】
また、請求項４に記載の発明では、請求項１ないし３に記載の発明の効果に加え、パッキンは蓋に装着し略垂直方向へ延在する第２片の上端部に連設して第１片を略水平方向へ端子箱外方に向けて延在し、第２片の上端部と対向する下端部に第３片を連設し、第３片は略水平方向へ第１片の延在方向と対向する端子箱内方に向けて延在しているため、蓋の端子箱本体への取付けで、パッキンの下端部が端子箱本体の上部開口の外周縁に当たってめくれることを抑制できる。
【００２７】
また、請求項５に記載の発明では、請求項１ないし４に記載の発明の効果に加え、蓋には外周縁から略水平方向へ突出して工具係合部を形成し、工具係合部と端子箱本体の上部との間に工具を挿入する挿入間隙を形成し、工具係合部は挿入隙間へ挿入した工具と係合可能に設けているため、取付ねじを取外して蓋を端子箱本体から取外す際に、作業者が工具係合部に係合した工具を略垂直方向の上方へ持ち上げることで、蓋を端子箱本体から簡単に取外すことができる。
【図面の簡単な説明】
【図１】本発明の一実施形態を示した電磁弁における端子箱のシール構造の縦断面図である。
【図２】図１の平面図である。
【図３】図２の蓋を取外した図である。
【図４】蓋の裏面を示した図である。
【図５】蓋を取外した状態を示す要部の拡大断面図である。
【図６】蓋を取付けた状態を示す要部の拡大断面図である。
【図７】第１実施形態の変形例を示した図５に相当する図である。
【図８】第１実施形態の変形例を示した図６に相当する図である。
【図９】第１実施形態の他の変形例を示した図５に相当する図である。
【図１０】第１実施形態の他の変形例を示した図６に相当する図である。
【図１１】本発明の第２実施形態を示した図５に相当する図である。
【図１２】第２実施形態を示した図６に相当する図である。
【符号の説明】
１　弁本体
６　電磁石
１３　端子箱
１４　端子箱本体
１５　蓋
１６Ａ、１６Ｂ　電気配線
２９　取付ねじ
３４、６４　パッキン
３４Ａ、６４Ａ　第１片
３４Ｂ、３４Ｃ、６４Ｂ　第２片
３５、５５、６６　当接面
３５Ａ、５５Ａ、６６Ａ　第１当接部
３５Ｂ、５５Ｂ、５５Ｃ、６６Ｂ　第２当接部
【図１】
2004019887.tif 000003
【図２】
2004019887.tif 000004
【図３】
2004019887.tif 000005
【図４】
2004019887.tif 000006
【図５】
2004019887.tif 000007
【図６】
2004019887.tif 000008
【図７】
2004019887.tif 000009
【図８】
2004019887.tif 000010
【図９】
2004019887.tif 000011
【図１０】
2004019887.tif 000012
【図１１】
2004019887.tif 000013
【図１２】
2004019887.tif 000014